(57)【要約】【課題】新鮮な演出にて表示画面の露出状態を変更することが可能な遊技機を提供する。【解決手段】本発明のパチンコ遊技機１０では演出カーテン６０，６０を展開状態と折畳状態とにスムーズに変更して、表示装置３０における液晶表示画面３０Ｂの露出状態を遊技の進行状況に応じて変更することができる。また、演出カーテン６０，６０を展開状態と折畳状態とに変更すると、演出カーテン６０，６０を構成する帯形プレート６２がカーテンレール７０，７０に対してスライドしながら回転して板厚方向の向きを変えると共に、駆動スライダに係合された帯形プレート６２Ｌ，６２Ｒの上下方向の中心が折れ曲がり、演出カーテン６０，６０全体の形状が変化する。これにより、本発明では、一定形状の引き戸形カバーをスライド移動する従来の遊技機と異なり、新鮮な演出にて表示画面の露出状態を変更することができる。【選択図】図１
2011088006.tif 000002
【特許請求の範囲】
【請求項１】
表示画面を有した表示装置と、
前記表示画面の上部に備えられ、前記表示画面の上辺と平行に延びたカーテンレールと、
前記カーテンレールにスライド可能かつ回転可能に係合したスライド係合部を上端部に備えて、前記カーテンレールから吊り下げられた複数の帯形プレートをプレート連絡部材にて連絡してなる演出カーテンと、
前記カーテンレールと平行な方向で往復駆動可能な駆動スライダとを備え、
前記演出カーテンの一端部を固定端として前記カーテンレールの端部に係合する一方、前記演出カーテンの他端部に位置する前記帯形プレートを可動端として前記駆動スライダに係合することで、前記複数の帯形プレートを前記カーテンレールにおける可動範囲の全体に亘って分散配置した展開状態と、前記カーテンレールの一部に前記複数の帯形プレートを纏めた折畳状態とに変更可能とし、
前記駆動スライダに係合された前記帯形プレートは上下方向の中心が折り曲げ可能な構造であることを特徴とする遊技機。
【請求項２】
前記カーテンレールは、下方に向かって開放し、その下面開口より奥側が幅広になった球体ガイド溝を有し、
前記スライド係合部は、前記各帯形プレートの上端部から上方に延び、前記球体ガイド溝の前記下面開口を通過した棒体と、前記棒体の上端部に設けられて、前記球体ガイド溝の奥側の幅広部分に収容された上端球体部とを備えたことを特徴とする請求項１に記載の遊技機。
【請求項３】
前記カーテンレールの両端部に配置され、上下方向を向いた回転軸を中心に回転可能な１対のプーリと、
一方の前記プーリを回転駆動するためのモータと、
前記１対のプーリの間に架け渡されたベルトとを備えると共に、
前記演出カーテン及び前記駆動スライダを、前記表示画面の横方向に対にして設け、
前記１対の駆動スライダを、前記ベルトのうち前後方向で対向する部分にそれぞれ固定して、前記プーリが一方に回転すると前記１対の駆動スライダが前記表示画面の横方向の中央で互いに接近する一方、前記プーリが他方に回転すると、前記１対の駆動スライダが前記表示画面の横方向の各端部寄り位置に移動して互いに離間するように構成し、
前記両演出カーテンのうち互いに離れた側の端部を前記固定端として前記カーテンレールの端部に固定する一方、前記固定端の反対側の前記可動端を前記各駆動スライダに固定したことを特徴とする請求項１又は２に記載の遊技機。
【請求項４】
前記プレート連絡部材は、蛇腹状に折り曲げ部を付けた布で構成されかつ前記表示画面を覆い隠すための幕部材であり、その幕部材のうち折り曲げ部に挟まれた部分を前記各帯形プレートに固定したことを特徴とする請求項１乃至３に記載の遊技機。
【請求項５】
前記幕部材のうち前記表示画面と対向する裏面側には、隣り合った折り曲げ部の間に、前記布の上端部を下方に折り返して下方向きの開口を有した第１の袋部が形成されると共に、前記布の下端部を上方に折り返して上方向きの開口を有した第２の袋部が形成され、
前記帯形プレートの上下方向の両端部を前記第１と第２の袋部に収容したことを特徴とする請求項４に記載の遊技機。
【請求項６】
前記帯形プレートは、上下方向の両端部が前記第１と第２の袋部に収容されて、上下方向の中間部分が露出した状態になる帯板状の支持骨プレートと、
前記支持骨プレートに着脱可能に係合し、上端部に前記スライド係合部を備えたベースプレートとからなることを特徴とする請求項５に記載の遊技機。
【請求項７】
前記支持骨プレートの中間部分に上下に並べて設けられた１対の係止膨出部と、
前記１対の係止膨出部に形成され、下方に向かって開放した１対の係止孔と、
前記ベースプレートに上下に並べて設けられ、前記ベースプレートの一部を門形に切除することで突片状に残された部分からなる１対の係止突起とを設け、
前記１対の係止突起を前記１対の係止孔に係止して、前記支持骨プレートが前記ベースプレートに固定されたことを特徴とする請求項６に記載の遊技機。
【請求項８】
前記帯形プレートを前記幕部材に両面テープで貼り付けたことを特徴とする請求項５乃至７の何れかに記載の遊技機。
【請求項９】
前記表示画面を囲んだ表示枠を設け、前記表示枠の下端に、前記帯形プレートの下端部を受容したカーテン下端部ガイドが形成されていることを特徴とする請求項１乃至８の何れかに記載の遊技機。
【請求項１０】
前記カーテン下端部ガイドの下面に、前記演出カーテンを照らす発光手段が収容されたことを特徴とする請求項９に記載の遊技機。
【請求項１１】
前記駆動スライダの移動によって切り換わる検出スイッチが設けられたことを特徴とする請求項１乃至１０に記載の遊技機。
【発明の詳細な説明】
【技術分野】
【０００１】
本発明は、遊技の進行状況に応じて表示画面を所定の部材で覆う演出を行うことが可能な遊技機に関する。
【背景技術】
【０００２】
従来、この種の遊技機として、表示画面と平行にスライド移動可能な１対の引き戸形カバーを備えたものが知られている（例えば、特許文献１参照）。
【先行技術文献】
【特許文献】
【０００３】
【特許文献１】特開２００２−１０２４５１号公報（第２図）
【発明の概要】
【発明が解決しようとする課題】
【０００４】
しかしながら、上記した遊技機が遊技ホールに設置されてから久しいので引き形カバーにより表示画面を覆う演出は新鮮みがなくなり、趣向性が低下してきていた。
【０００５】
本発明は、上記事情に鑑みてなされたもので、新鮮な演出にて表示画面の露出状態を変更することが可能な遊技機の提供を目的とする。
【課題を解決するための手段】
【０００６】
上記目的を達成するためになされた請求項１の発明に係る遊技機は、表示画面を有した表示装置と、表示画面の上部に備えられ、表示画面の上辺と平行に延びたカーテンレールと、カーテンレールにスライド可能かつ回転可能に係合したスライド係合部を上端部に備えて、カーテンレールから吊り下げられた複数の帯形プレートをプレート連絡部材にて連絡してなる演出カーテンと、カーテンレールと平行な方向で往復駆動可能な駆動スライダとを備え、演出カーテンの一端部を固定端としてカーテンレールの端部に係合する一方、演出カーテンの他端部に位置する帯形プレートを可動端として駆動スライダに係合することで、複数の帯形プレートを前記カーテンレールにおける可動範囲の全体に亘って分散配置した展開状態と、カーテンレールの一部に複数の帯形プレートを纏めた折畳状態とに変更可能とし、駆動スライダに係合された帯形プレートは上下方向の中心が折り曲げ可能な構造であるところに特徴を有する。
【０００７】
請求項２の発明は、請求項１に記載の遊技機において、カーテンレールは、下方に向かって開放し、その下面開口より奥側が幅広になった球体ガイド溝を有し、スライド係合部は、各帯形プレートの上端部から上方に延び、球体ガイド溝の下面開口を通過した棒体と、棒体の上端部に設けられて、球体ガイド溝の奥側の幅広部分に収容された上端球体部とを備えたところに特徴を有する。
【０００８】
請求項３の発明は、請求項１又は２に記載の遊技機において、カーテンレールの両端部に配置され、上下方向を向いた回転軸を中心に回転可能な１対のプーリと、一方のプーリを回転駆動するためのモータと、１対のプーリの間に架け渡されたベルトとを備えると共に、演出カーテン及び駆動スライダを、表示画面の横方向に対にして設け、１対の駆動スライダを、ベルトのうち前後方向で対向する部分にそれぞれ固定して、プーリが一方に回転すると１対の駆動スライダが表示画面の横方向の中央で互いに接近する一方、プーリが他方に回転すると、１対の駆動スライダが表示画面の横方向の各端部寄り位置に移動して互いに離間するように構成し、両演出カーテンのうち互いに離れた側の端部を固定端としてカーテンレールの端部に固定する一方、固定端の反対側の可動端を各駆動スライダに固定したところに特徴を有する。
【０００９】
請求項４の発明は、請求項１乃至３に記載の遊技機において、プレート連絡部材は、蛇腹状に折り曲げ部を付けた布で構成されかつ表示画面を覆い隠すための幕部材であり、その幕部材のうち折り曲げ部に挟まれた部分を各帯形プレートに固定したところに特徴を有する。
【００１０】
請求項５の発明は、請求項４に記載の遊技機において、幕部材のうち表示画面と対向する裏面側には、隣り合った折り曲げ部の間に、布の上端部を下方に折り返して下方向きの開口を有した第１の袋部が形成されると共に、布の下端部を上方に折り返して上方向きの開口を有した第２の袋部が形成され、帯形プレートの上下方向の両端部を第１と第２の袋部に収容したところに特徴を有する。
【００１１】
請求項６の発明は、請求項５に記載の遊技機において、帯形プレートは、上下方向の両端部が第１と第２の袋部に収容されて、上下方向の中間部分が露出した状態になる帯板状の支持骨プレートと、支持骨プレートに着脱可能に係合し、上端部にスライド係合部を備えたベースプレートとからなるところに特徴を有する。
【００１２】
請求項７の発明は、請求項６に記載の遊技機において、支持骨プレートの中間部分に上下に並べて設けられた１対の係止膨出部と、１対の係止膨出部に形成され、下方に向かって開放した１対の係止孔と、ベースプレートに上下に並べて設けられ、ベースプレートの一部を門形に切除することで突片状に残された部分からなる１対の係止突起とを設け、１対の係止突起を１対の係止孔に係止して、支持骨プレートがベースプレートに固定されたところに特徴を有する。
【００１３】
請求項８の発明は、請求項５乃至７の何れかに記載の遊技機において、帯形プレートを幕部材に両面テープで貼り付けたところに特徴を有する。
【００１４】
請求項９の発明は、請求項１乃至８の何れかに記載の遊技機において、表示画面を囲んだ表示枠を設け、表示枠の下端に、帯形プレートの下端部を受容したカーテン下端部ガイドが形成されているところに特徴を有する。
【００１５】
請求項１０の発明は、請求項９に記載の遊技機において、カーテン下端部ガイドの下面に、演出カーテンを照らす発光手段が収容されたところに特徴を有する。
【００１６】
請求項１１の発明は、請求項１乃至１０に記載の遊技機において、駆動スライダの移動によって切り換わる検出スイッチが設けられたところに特徴を有する。
【発明の効果】
【００１７】
［請求項１の発明］
請求項１の遊技機では、カーテンレールに吊り下げた演出カーテンを展開状態と折畳状態とに変更して、表示装置における表示画面の露出状態を変更することができる。また、演出カーテンを展開状態と折畳状態とに変更すると、その演出カーテンを構成する帯形プレートがカーテンレールに対してスライドしながら回転して板厚方向の向きを変えると共に、駆動スライダに係合された帯形プレートの上下方向の中心が折れ曲がり、演出カーテン全体の形状が変化する。これにより、本発明では、一定形状の引き戸形カバーをスライド移動する従来の遊技機と異なり、新鮮な演出にて表示画面の露出状態を変更することができる。
【００１８】
［請求項２の発明］
請求項２の構成によれば、棒体と上端球体部がカーテンレールをスムーズに動くことができるので、展開状態と折畳状態との変更がスムーズになる。
【００１９】
［請求項３の発明］
請求項３の構成によれば、１対の駆動スライダの間で、それら１対の駆動スライダを駆動するためのベルトを共有したので、部品点数の削減が図られる。
【００２０】
［請求項４の発明］
請求項４の構成によれば、演出カーテンが舞台、映画館等の幕のような雰囲気を醸し出し、趣向性に長けた演出を提供することができる。
【００２１】
［請求項５の発明］
請求項５の構成によれば、幕部材の第１と第２の袋部に、帯形プレートの両端部を挿入して、複数の帯形プレートを容易に幕部材に取り付けることができる。
【００２２】
［請求項６の発明］
請求項６の構成によれば、幕部材に支持骨プレートを収容してから、各支持骨プレートを各ベースプレートに係合することで、幕部材をベースプレートに固定することができる。
【００２３】
［請求項７の発明］
請求項７の構成によれば、支持骨プレートに形成された１対の係止膨出部の係止孔に、ベースプレートに形成された１対の係止突起を係止して、支持骨プレートがベースプレートに固定することができる。
【００２４】
［請求項８の発明］
請求項８の構成によれば、帯形プレートと幕部材とが離れる虞を低減することができる。
【００２５】
［請求項９の発明］
請求項９の構成によれば、演出カーテンが表示画面の前後方向に動くことを規制することができる。
【００２６】
［請求項１０の発明］
請求項１０の構成によれば、演出カーテンに下方から光が照射されて、豪華な演出を提供することができる。
【００２７】
［請求項１１の発明］
請求項１１の構成によれば、検出スイッチの位置に駆動スライダがあるかないかを検出することで、演出カーテンの状態を判定することができる。
【図面の簡単な説明】
【００２８】
【図１】本発明の一実施形態に係るパチンコ遊技機の正面図
【図２】カーテンユニットの正面図
【図３】カーテンユニットの正面図
【図４】カーテンユニットの正面斜視図
【図５】カーテンユニットの背面斜視図
【図６】カーテンユニットの分解正面斜視図
【図７】カーテンセットの背面斜視図
【図８】カーテンセットの背面斜視図
【図９】カーテンセットの正面斜視図
【図１０】カーテンセットの部分分解斜視図
【図１１】演出カーテンの分解背面斜視図
【図１２】演出カーテンの部分分解背面斜視図
【図１３】帯形プレートの分解背面図
【図１４】帯形プレートの部分正面図
【発明を実施するための形態】
【００２９】
以下、本発明を適用したパチンコ遊技機１０に係る第１実施形態を、図１〜図１３に基づいて説明する。図１に示すように、本実施形態のパチンコ遊技機１０の遊技板１１には、ガイドレール１２で囲まれたほぼ円形の遊技領域Ｒ１が形成されている。その遊技領域Ｒ１の中央部には、遊技板１１に略横長矩形の表示開口１１Ｋが貫通形成され、その表示開口１１Ｋの奥部に表示装置３０が備えられている。そして、表示開口１１Ｋを介して、表示装置３０の液晶表示画面３０Ｂ（本発明の「表示画面」に相当する）が前方に臨んでいる。
【００３０】
遊技領域Ｒ１のうち表示開口１１Ｋより下方には、始動入賞口１４、大入賞口１５及び外れ球受け入れ口１６が、上から順に間隔を開けて並べて設けられている。また、遊技領域Ｒ１のうち表示装置３０の両側には、始動ゲート１８、風車１９、一般入賞口２０，２１がそれぞれ設けられ、ガイドレール１２に沿った両側端部には、サイドランプ２２，２２が設けられている。なお、遊技領域Ｒ１全体に亘って、図示しない複数の障害釘が起立している。
【００３１】
遊技板１１の所要の各部位について詳説する。一般入賞口２０，２１は、遊技板１１から突出した部材の上面に開口を備えた、所謂ポケット構造をなし、遊技球が丁度１つ入球可能な大きさで上方に開口している。
【００３２】
始動ゲート１８は、遊技球が潜って通過可能な門形構造をなし、通過した遊技球は始動ゲート１８に内蔵された図示しない普通図柄始動スイッチによって検出される。この検出信号に基づいて、液晶表示画面３０Ｂの一角に設けられた普通図柄表示部１８Ｈにおいて図柄が変動表示される。具体的には、「０」〜「９」までの数字からなる数字図柄が所定期間に亘って変動表示された後、所定の数字図柄が停止表示される。
【００３３】
始動入賞口１４も、一般入賞口２０，２１と同様に、ポケット構造をなしている。始動入賞口１４の開口の左右両側には可動翼片１４Ａ，１４Ａが備えられている。これら両可動翼片１４Ａ，１４Ａは、常には起立状態になっており、このとき両可動翼片１４Ａ，１４Ａに挟まれた始動入賞口１４の開口幅は、遊技球が１つだけ入る大きさとなっている。そして、普通図柄表示部１８Ｈで停止表示された数字図柄が奇数になると、遊技板１１の裏に設けた図示しないソレノイドが駆動されて、可動翼片１４Ａ，１４Ａが所定期間（例えば、０．４秒間）に亘って横に倒される。すると、始動入賞口１４の両脇を流下する遊技球が可動翼片１４Ａに受け止められて始動入賞口１４に案内されるようになって始動入賞口１４に入賞し易くなる。
【００３４】
始動入賞口１４に遊技球が入球すると、液晶表示画面３０Ｂにおいて図柄が変動表示される。具体的には、液晶表示画面３０Ｂには、通常、３つの特別図柄３１Ａ，３１Ｂ，３１Ｃが横並びに表示されている。これら各特別図柄３１Ａ，３１Ｂ，３１Ｃには、例えば、「０」〜「１１」の数字を表記した複数種類がそれぞれ備えられ、通常は、何れかの種類の特別図柄３１Ａ，３１Ｂ，３１Ｃが停止表示されている。そして、始動入賞口１４に遊技球が入賞したときに、これら３つの特別図柄３１Ａ，３１Ｂ，３１Ｃが、上下方向にスクロール表示され、所定時間後に、例えば、左、右、中の順で各特別図柄３１Ａ，３１Ｃ，３１Ｂが停止表示される。また、全ての特別図柄３１Ａ，３１Ｂ，３１Ｃが同じ図柄、即ち、ぞろ目になった場合に、遊技が「大当たり状態」になる。
【００３５】
なお、液晶表示画面３０Ｂにおいて特別図柄３１Ａ，３１Ｂ，３１Ｃが変動表示又は「大当たり状態」の最中に始動入賞口１４に入賞した場合、その入賞球は最大で４個まで保留記憶され、特別図柄３１Ａ，３１Ｂ，３１Ｃが停止表示又は「大当たり状態」が終了すると、その保留記憶に基づいて再び、特別図柄３１Ａ，３１Ｂ，３１Ｃが変動表示される。
【００３６】
大入賞口１５は、横長矩形に形成されて前方に開放しており、常には、可動扉１５Ｔにて閉塞されている。パチンコ遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３７】
上述したパチンコ遊技機１０の前面側は、下端寄り位置の一部を除いて全体が前面枠８３によって覆われている。そして、前面枠８３に形成されたガラス窓８５Ｗを通して上記遊技領域Ｒ１が視認可能となっている。
【００３８】
パチンコ遊技機１０の前面のうちガラス窓８５Ｗの下方には、第１膨出部２６Ｂが備えられ、その下方には第２膨出部２７Ｂが備えられている。また、パチンコ遊技機１０の前面の右下角部には、操作ノブ２８が備えられている。
【００３９】
第１膨出部２６Ｂには、上方に開放した上皿２６が形成されている。また、第２膨出部２７Ｂには、上方に開放した下皿２７が形成され、その下皿２７の右側方には球抜ボタン２９が設けられている。
【００４０】
上皿２６の内側面には、操作ノブ２８から離れた側の端部に、第１球出口が設けられる一方、操作ノブ２８に近い側の端部に遊技球送給口が設けられている（図示せず）。また、上皿２６の底面は、操作ノブ２８から離れた側の端部から操作ノブ２８に近い側の端部に向かって下るように傾斜し、遊技球送給口内の送給経路（図示せず）に１列になって流れ込む。そして、操作ノブ２８を操作すると、送給経路を通過した遊技球が、パチンコ遊技機１０内の図示しない発射装置に１球ずつ取り込まれて、遊技領域Ｒ１に弾き出される。また、遊技領域Ｒ１における上記した各入賞口１４，１５，２０，２１に遊技球が入球すると、その賞球として複数の遊技球が第１球出口から上皿２６内に払い出される。
【００４１】
下皿２７の底面には、操作ノブ２８寄り位置に円形の排出孔が貫通形成され、底面は排出孔に向かって緩やかに下るように傾斜している（図示せず）。その排出孔は常には閉じており、球抜ボタン２９を押すと開く。また、下皿２７の内側面のうち操作ノブ２８から離れた側の端部には、第２球出口２７Ｋが設けられている。そして、上皿２６が満杯の状態で上記各入賞口１４，１５，２０，２１に遊技球が入球した場合には、その賞球としての複数の遊技球が第２球出口２７Ｋから下皿２７内に払い出される。下皿２７が満杯になった場合には、排出孔の下方に図示しない受容箱（所謂、ドル箱）を配置して、球抜ボタン２９の操作により排出孔を開くことで、下皿２７から受容箱（所謂、ドル箱）へと遊技球を排出することができる。
【００４２】
なお、上皿２６と発射装置との間を連絡する上記した送給経路の中間部分からは、第２球出口２７Ｋの奥部に連絡されたバイパス経路（図示せず）が備えられ、パチンコ遊技機１０の前面に備えた図示しない球排出ボタンを操作すると、上皿２６内の遊技球が送給経路とバイパス経路とを通って下皿２７に排出される。
【００４３】
ところで、本実施形態では、液晶表示画面３０Ｂを覆うことが可能な、１対の演出カーテン６０，６０が備えられている。図２〜図６には、それら１対の演出カーテン６０，６０を含むカーテンユニット８０が示されている。このカーテンユニット８０は、図６に示すように、表示枠４０に複数の部品を組み付けてなる。そして、表示枠４０が、遊技板１１の後面（遊技者が対峙する面登坂対側の面）に宛がわれてネジ止めされ、その表示枠４０の後面に表示装置３０が固定されている。以下、表示枠４０に係る全ての部品に関し、遊技板１１側を「前側」又は「前方」といい、表示装置３０側を「後側」又は「後方」ということにして各部品について詳説する。
【００４４】
表示枠４０は、遊技板１１の後面に直交しかつ、表示開口１１Ｋ（図１参照）に対応した横長矩形状の囲壁４１を備え、その囲壁４１の後端縁から直角内側に後面壁４３を張り出して備えている。これにより、表示枠４０の後面側には、囲壁４１よりも一回り小さな横長矩形の表示窓部４０Ｈが形成されている。また、図５に示すように、表示窓部４０Ｈを囲むように後面壁４３の後面から矩形嵌合壁４３Ｂが突出形成されている。そして、表示装置３０は、板状になっており、矩形嵌合壁４３Ｂの内側に嵌め込まれて外縁部が表示窓部４０Ｈの開口縁に宛がわれ、液晶表示画面３０Ｂが表示窓部４０Ｈを介して前方に臨んでいる。
【００４５】
なお、矩形嵌合壁４３Ｂの外側面には、側方に向かって複数のケーブル押さえ壁４３Ｔが形成され、後面壁４３とケーブル押さえ壁４３Ｔとの間で図示しないケーブルを挟んで保持している。
【００４６】
図４に示すように、表示枠４０のうち囲壁４１の前端部には、上辺部分に上部前面壁４５が備えられる一方、下辺部分に下部前面壁４６が備えられている。これにより、表示枠４０の上辺部分には、上部前面壁４５と後面壁４３と囲壁４１からなりかつ下面が開放した上辺溝部４０Ｗが形成される一方、表示枠４０の下辺部分には、下部前面壁４６と後面壁４３と囲壁４１とからなりかつ上面が開放した下辺溝部４０Ｖが形成されている。
【００４７】
なお、図６に示すように、上部前面壁４５及び下部前面壁４６は、囲壁４１及び後面壁４３とを備えた枠本体部４０Ｍに対して別部品になっている。そして、枠本体部４０Ｍにネジにて組み付けられている。
【００４８】
図４に示すように、表示枠４０の下辺溝部４０Ｖ内には、発光基板４７が設けられている。発光基板４７は、下辺溝部４０Ｖの内幅に対応した横長の帯板状をなし、その上面には複数の発光素子（図示せず）が実装されている。また、発光基板４７は、基板ホルダ４８（図６参照）と共に下辺溝部４０Ｖの底部に配置されて、下辺溝部４０Ｖ内の基板ホルダ４８に保持されている。
【００４９】
基板ホルダ４８は、透明な樹脂で構成され、横長帯板状の樹脂板における両端縁から下方に１対の溝形係止部（図示せず）を垂下した構造になっている。そして、それら１対の溝形係止部に、発光基板４７の長手方向の両端部が前後方向から挿入されて保持され、発光基板４７の上面が基板ホルダ４８にて覆われている。また、基板ホルダ４８は、下部前面壁４６を貫通したネジにて下部前面壁４６に固定されている。さらに、基板ホルダ４８には、発光基板４７に実装された複数の発光素子との対向部分に複数の円丘状のレンズ部４８Ｔが備えられている。そして、複数の発光素子からの光が、レンズ部４８Ｔを通して上方に向かうようになっている。
【００５０】
図４に示すように、発光基板４７の下面には、コネクタ４７Ｋが設けられている。そして、下辺溝部４０Ｖの底壁としての囲壁４１には、コネクタ４７Ｋとの対向位置にコネクタ操作孔４７Ｗが貫通形成され、このコネクタ操作孔４７Ｗを通して、図示しない相手コネクタをコネクタ４７Ｋに着脱操作することができるようになっている。
【００５１】
囲壁４１の両側辺における前縁部の複数箇所（例えば上下２箇所ずつ）からは、両外方に向かって複数の取付壁４２が張り出されている。また、囲壁４１の上辺における上縁部には、内方に向かって取付壁４２が張り出されている。さらに、それら取付壁４２には複数のネジ孔４２Ｎがそれぞれ形成されている。そして、ネジ孔４２Ｎに挿通したネジを遊技板１１に締め付けて表示枠４０が遊技板１１に固定されている。
【００５２】
図６には、カーテンユニット８０に備えたカーテンセット５０が示されている。カーテンセット５０は、カーテンレール７０Ｋに演出カーテン６０，６０を取り付け、さらに、それら演出カーテン６０，６０を電気駆動にて開閉するためのカーテン駆動機構５０Ｋを備えている。そして、それらカーテンレール７０Ｋ及びカーテン駆動機構５０Ｋが表示枠４０における上辺溝部４０Ｗの内部に組み付けられている。詳細には、上辺溝部４０Ｗのうち後面壁４３寄り位置には、横方向に延びた内部支持板４４が備えられている。また、内部支持板４４から上部前面壁４５に向かって複数の支柱４４Ｓが突出しており、それら支柱４４Ｓが上部前面壁４５に突き当てられ、上部前面壁４５を貫通したネジが支柱４４Ｓに締め付けられている。
【００５３】
そして、図６に示すように、上部前面壁４５を枠本体部４０Ｍから離脱し、上部前面壁４５と内部支持板４４とを分離した状態で、それら内部支持板４４と上部前面壁４５との間にカーテンレール７０Ｋ及びカーテン駆動機構５０Ｋが組み付けられ、上部前面壁４５と内部支持板４４とをネジ止めしてから、上部前面壁４５を枠本体部４０Ｍにネジ止めして、カーテンレール７０Ｋ及びカーテン駆動機構５０Ｋが上辺溝部４０Ｗ内に組み付けられている。
【００５４】
図１０に示すように、カーテンレール７０Ｋは、水平に延びた１対のベースレール７０，７０を、表示枠４０（図６参照）の前後方向に対向配置して備えている。それらベースレール７０，７０は、互いの対向面にベース溝７４（図１０には、一方のベースレール７０のベース溝７４のみが示されている）をそれぞれ備えている。また、一方のベースレール７０には、その長手方向の両端部と中央部との３箇所に突き当て突部７０Ｔが形成されており、それら一方のベースレール７０の突き当て突部７０Ｔを他方のベースレール７０に突き当てて、両ベースレール７０，７０の両端部が互いにネジ止めされている。また、両ベースレール７０，７０の中央部には、クリップ係止孔７５，７５がそれぞれ前後方向に貫通形成されている。そして、クリップ５９がそれらクリップ係止孔７５，７５を貫通した状態で抜け止めされている。
【００５５】
これらにより、両ベースレール７０，７０の間で対向したベース溝７４，７４から本発明に係る球体ガイド溝７４Ｍ（図７参照）が構成されている。即ち、両ベースレール７０，７０からなるカーテンレール７０Ｋには、下方に向かって開放し、その下面開口より奥側が幅広になった球体ガイド溝７４Ｍが備えられ、その球体ガイド溝７４Ｍが、カーテンレール７０Ｋの長手方向中央で２分されている。即ち、本実施形態のカーテンレール７０Ｋには、１対の球体ガイド溝７４Ｍ，７４Ｍが備えられている。
【００５６】
図８には、ベースレール７０の後面が示され、図９には、ベースレール７０の前面が示されている。これら図８及び図９に示すように、カーテンレール７０Ｋの前面と後面とには、それぞれスライダガイド突条７１，７１が形成されている。図９に示されたベースレール７０の前面側のガイド突条７１は、カーテンレール７０Ｋにおける長手方向の中央より、カーテンレール７０Ｋに前方から向かって右側のみに形成されている。そして、カーテンレール７０Ｋの前面のうち向かって左側には、ガイド突条７１の延長線上に、ガイド突条７１より段付き状に前方に張り出した補強リブ７１Ｌが形成され、その補強リブ７１Ｌとガイド突条７１との段差部分が、クローズストッパ７１Ａになっている。また、カーテンレール７０Ｋの前面における右側端部にも、ガイド突条７１の延長線上に、ガイド突条７１より段付き状に前方に張り出した補強リブ７１Ｌが形成されており、その補強リブ７１Ｌとガイド突条７１との段差部分がオープンストッパ７１Ｂになっている。
【００５７】
カーテンレール７０Ｋの後面においても、カーテンレール７０Ｋに前方から向かって左側のみにガイド突条７１が形成され、カーテンレール７０Ｋの前後でガイド突条７１及びクローズストッパ７１Ａ及びオープンストッパ７１Ｂの配置が点対称になっている。
【００５８】
図８及び図９に示すように、カーテンレール７０Ｋの前面のスライダガイド突条７１には、駆動スライダ５４Ｒがスライド可能に係合され、その駆動スライダ５４Ｒと次述する連結突片５４Ｗを除いて同形状の駆動スライダ５４Ｌが、カーテンレール７０Ｋの後面のスライダガイド突条７１にスライド可能に係合されている。
【００５９】
図１０に示すように、駆動スライダ５４Ｒは、上部前面壁４５（図６参照）と平行になった主板部５４Ａを備え、その主板部５４Ａからカーテンレール７０Ｋ側に向けて突出した突壁５４Ｂ，５４Ｃを上下に並べて備えている。また、それら突壁５４Ｂ，５４Ｃの間のスライド係合溝５４Ｘにスライダガイド突条７１がスライド可能に係合した状態で、上部前面壁４５によって駆動スライダ５４Ｒがスライダガイド突条７１から離脱しないように位置決めされている。
【００６０】
下側の突壁５４Ｃからは、カーテンレール７０Ｋの長手方向の中央に向かって下端突部５４Ｚが突出している。そして、駆動スライダ５４Ｒがカーテンレール７０Ｋの長手方向の中央に移動したときに、主板部５４Ａと上側の突壁５４Ｂの端面が、クローズストッパ７１Ａに当接して駆動スライダ５４Ｒが位置決めされ、このとき下端突部５４Ｚの先端面がカーテンレール７０Ｋのうちクローズストッパ７１Ａの下方に備えた補助ストッパ７１Ｈ（図１０参照）に突き合わされる。一方、駆動スライダ５４Ｒがカーテンレール７０Ｋの長手方向の端部に移動したときに、主板部５４Ａと突壁５４Ｂ，５４Ｃの端面が、オープントッパ７１Ｂに当接して駆動スライダ５４Ｒが位置決めされる。
【００６１】
上側の突壁５４Ｂからは上方に向かって１対の挟持壁５４Ｄ，５４Ｄが起立しており、前後方向で互いに対向している。それら挟持壁５４Ｄ，５４Ｄの対向面には、図示しない突条が前後に延びている。さらに、それら挟持壁５４Ｄ，５４Ｄのうち上部前面壁４５（図６参照）と反対側に位置した挟持壁５４Ｄからは、上部前面壁４５から離れる側に向かって連結突片５４Ｗが突出している。
【００６２】
前述したように、カーテンレール７０Ｋの後面側の駆動スライダ５４Ｌは、前記連結突片５４Ｗを備えておらず、それ以外はカーテンレール７０Ｋの前面側の駆動スライダ５４Ｒと同じ構造をなしている。そして、内部支持板４４（図６参照）によって駆動スライダ５４Ｌがスライダガイド突条７１から離脱しないように位置決めされている。
【００６３】
図９に示すように、カーテンレール７０Ｋの長手方向の一端部上方（カーテンレール７０Ｋに前方から向かって左側端部上方）には、駆動源支持プレート５３Ｐが上部前面壁４５と内部支持板４４（図６参照）との間に差し渡されている。その駆動源支持プレート５３Ｐの上面には、減速機５３Ｇが取り付けられ、その減速機５３Ｇの上面にはモータ５３が取り付けられている。また、モータ５３の出力回転軸（図示せず）は減速機５３Ｇに連結され、減速機５３Ｇの出力軸５３Ｓ（図１０参照）は、駆動源支持プレート５３Ｐに形成された貫通孔を通して駆動源支持プレート５３Ｐの下方に突出している。そして、その出力軸５３Ｓにプーリ５１Ｌが取り付けられている。
【００６４】
図９に示すように、カーテンレール７０Ｋの長手方向の他端部上方（カーテンレール７０Ｋに前方から向かって右側端部上方）には、固定ブロック９０と可動ブロック９１とが差し渡されている。その可動ブロック９１は、固定ブロック９０よりモータ５３から離れた側の端部に配置され、カーテンレール７０Ｋの長手方向に直動可能となるように上部前面壁４５及び内部支持板４４に支持されている。また、図１０に示すように、可動ブロック９１には、上下で対向した１対の対向壁９１Ａ，９１Ｂが備えられ、それら対向壁９１Ａ，９１Ｂに両端部を支持せれたシャフト９３Ｓに、プーリ５１Ｒが回転可能に軸支されている。そして、上記した１対のプーリ５１Ｌ，５１Ｒの間にベルト５２が架け渡され、モータ５３を駆動源にしてベルト５２が左右任意の方向に回転する。
【００６５】
図９に示すように、ベルト５２のうちプーリ５１Ｌ，５１Ｒを間に挟んで平行に延びた部分は、カーテンレール７０Ｋの前後両面におけるスライダガイド突条７１，７１の上方に位置している。また、ベルト５２のうちプーリ５１Ｌ，５１Ｒより前側で直線状に延びた部位の一部は、駆動スライダ５４Ｒにおける挟持壁５４Ｄ，５４Ｄの間に挟持される一方、ベルト５２のうちプーリ５１Ｌ，５１Ｒより後側で直線状に延びた部位の一部は、駆動スライダ５４Ｌにおける挟持壁５４Ｄ，５４Ｄの間に挟持されている。
【００６６】
そして、モータ５３によりプーリ５１Ｌが一方に回転すると１対の駆動スライダ５４Ｌ，５４Ｒが、共にクローズストッパ７１Ａ，７１Ａ側に向かう一方、モータ５３によりプーリ５１Ｌが他方に回転すると、１対の駆動スライダ５４Ｌ，５４Ｒが共にオープンストッパ７１Ｂ，７１Ｂに向かうように動作する。このように、本実施形態では、１対の駆動スライダ５４Ｌ，５４Ｒの間で、それら１対の駆動スライダ５４Ｌ，５４Ｒを駆動するためのベルト５２を共有したので、部品点数の削減が図られる。
【００６７】
図６に示すように、カーテンレール７０Ｋのうち右側半部の上方側には、位置検出装置５６Ｕが備えられている。図１０に示すように、位置検出装置５６Ｕは、カーテンレール７０Ｋと平行に延びた第１補助ガイドプレート５６の前側に、同じくカーテンレール７０Ｋと平行に延びた第２補助ガイドプレート５８を重ね合わせてネジ止めして備え、それら第１補助ガイドプレート５６と第２補助ガイドプレート５８の間に位置検出スライダ５７を備えている。第１補助ガイドプレート５６は、内部支持板４４の前面にネジ止めされると共に、第１補助ガイドプレート５６のうち第２補助ガイドプレート５８との対向面には、カーテンレール７０Ｋと平行に延びたガイド溝５６Ｍが形成され、そのガイド溝５６Ｍに位置検出スライダ５７から突出した係合片５７Ｔが係合している。
【００６８】
位置検出スライダ５７の下端部は、第２補助ガイドプレート５８から下方に突出しており、その突出部分から前方に向かって１対の摘み片５７Ｓ，５７Ｓが突出している。そして、摘み片５７Ｓ，５７Ｓの間に駆動スライダ５４Ｒの連結突片５４Ｗが挟持されている。これにより、駆動スライダ５４Ｒと共に位置検出スライダ５７が直動する。また、第１補助ガイドプレート５６の長手方向の両端部には、検出基板５５Ａ，５５Ｂが取り付けられており、それら検出基板５５Ａ，５５Ｂにそれぞれ実装された検出スイッチ５５Ｓ，５５Ｓが実装されている。そして、各検出スイッチ５５Ｓには、検出スリット５５Ｍが備えられ、位置検出スライダ５７が可動範囲の一端又は他端に位置すると、何れかの検出スイッチ５５Ｓに備えた検出スリット５５Ｍに位置検出スライダ５７の係合片５７Ｔが突入し、駆動スライダ５４Ｌ，５４Ｒがクローズストッパ７１Ａとの当接位置に移動したか、オープンストッパ７１Ｂとの当接位置に移動したかを検出することができる。
【００６９】
図７に示すように、カーテンレール７０Ｋに備えた１対の球体ガイド溝７４Ｍ，７４Ｍには、それぞれ例えば、１０個ずつの帯形プレート６２がスライド可能かつ回転可能に係合している。そして、それら球体ガイド溝７４Ｍ毎に係合した１０個ずつの帯形プレート６２が幕部材６５（本発明の「プレート連絡部材」に相当する）にそれぞれ取り付けられて演出カーテン６０が構成され、これにより、１対の演出カーテン６０，６０が左右対称に備えられている。
【００７０】
図１１及び図１２に示すように、幕部材６５は、上下方向に延びた折り曲げ部６５Ｒを横方向に複数備えて蛇腹に折り畳み可能な布であって、その幕部材６５の裏面において、隣り合った折り曲げ部６５Ｒの間にそれぞれ帯形プレート６２が取り付けられている。より具体的には、幕部材６５は、矩形布の上端部を上端寄り位置まで折り返す一方、矩形布の下端部を上下方向の略中央まで折り返した状態にして、その矩形布の両側縁及び両側縁間を複数等分（例えば、１０等分）する位置毎に、互いに隣接して上下方向に延びた２本線に沿って縫われている。そして、それら２本の縫製線によって蛇腹の折り曲げ部６５Ｒが構成され、隣り合った折り曲げ部６５Ｒの間の上端部が、下向きの開口を有した第１の袋部６５Ａになり、隣り合った折り曲げ部６５Ｒの間の下端部が、上向きの開口を有した第２の袋部６５Ｂになっている。
【００７１】
帯形プレート６２は、図１３に示したベースプレート６３と支持骨プレート６４とを合体させてなる。支持骨プレート６４は、透明で薄肉の樹脂で構成され、液晶表示画面３０Ｂの縦長と略同じ長さの帯板状をなして上下方向に延びている。そして、支持骨プレート６４における上下の両端部が、幕部材６５における第１と第２の袋部６５Ａ，６５Ｂに収容されて、支持骨プレート６４における上下方向の中間部分が露出した状態になっている。
【００７２】
支持骨プレート６４のうち幕部材６５から露出した部分の上端部と下端部とには、支持骨プレート６４の一部を支持骨プレート６４の板厚方向の一方に膨出させてなる１対の係止膨出部６４Ｂ，６４Ｂがそれぞれ形成されている。また、それら係止膨出部６４Ｂ，６４Ｂの下面には、係止孔６４Ｈが形成されている。さらに、上側の係止膨出部６４Ｂの上面Ｂ１は、支持骨プレート６４の幅方向に対して傾斜している。
【００７３】
一方、ベースプレート６３は、上下方向に延びた帯板状をなし、その長さは、例えば、液晶表示画面３０Ｂの縦長の半分程度になっている。また、ベースプレート６３の上端寄り位置と下端寄り位置とには、それぞれベースプレート６３に門形孔６３Ａ，６３Ａが形成されている。これにより、ベースプレート６３のうち門形孔６３Ａ，６３Ａの下方に残された部分が、上方に突出した突片状の係止突起６３Ｔ，６３Ｔになっている。また、上側の門形孔６３Ａにおける上辺Ｔ１は、ベースプレート６３の幅方向に対して斜めになっている。
【００７４】
そして、門形孔６３Ａの上辺Ｔ１と、上記した支持骨プレート６４における係止膨出部６４Ｂの上面Ｂ１との傾斜方向が同じになるように配置して、各門形孔６３Ａにおける係止突起６３Ｔの上方に各係止膨出部６４Ｂを受容してから支持骨プレート６４をベースプレート６３に対して下方にずらされる。これにより、１対の係止孔６４Ｈ，６４Ｈにベースプレート６３の１対の係止突起６３Ｔ，６３Ｔが挿入されて（図１２参照）、ベースプレート６３と支持骨プレート６４とが合体した状態になっている。なお、幕部材６５の両側部に配置される１対の帯形プレート６２，６２は、それらの上下方向の中間部分が両面テープ６５Ｓによって幕部材６５に固着されている。これにより、帯形プレート６２と幕部材６５とが離れる虞を低減することができる。
【００７５】
ベースプレート６３の上端部における幅方向の中央からは、断面円形の棒体６１Ｂが上方に向かって延び、その棒体６１Ｂの上端部には球体形状の上端球体部６１Ａが形成されている。本実施形態では、これら棒体６１Ｂと上端球体部６１Ａとから本発明に係るスライド係合部６１が構成されている。そして、各ベースプレート６３における上端球体部６１Ａが、球体ガイド溝７４Ｍ（図７参照）にそれぞれ収容されている。そして、上端球体部６１Ａにおける前後の２箇所が球体ガイド溝７４Ｍを構成する１対のベース溝７４，７４にそれぞれ受容され、棒体６１Ｂが球体ガイド溝７４Ｍの下面開口から下方に垂下された状態になっている。これにより、帯形プレート６２群が、ベース溝７４に対してスライド可能かつ回転可能になってカーテンレール７０Ｋから吊り下げられ、各演出カーテン６０，６０が各球体ガイド溝７４Ｍ，７４Ｍに案内されて伸縮される。
【００７６】
それら各演出カーテン６０，６０を自動で開閉するために、各演出カーテン６０に備えた帯形プレート６２群のうちカーテンレール７０Ｋの長手方向の端部側に配置された帯形プレート６２は、図７に示すように、各球体ガイド溝７４Ｍの一端部にスライド不能に固定されている。具体的には、各球体ガイド溝７４Ｍの一端寄り位置には、球体ガイド溝７４Ｍの下面開口を横切る規制壁７４Ｚが備えられ、球体ガイド溝７４Ｍの端部壁と規制壁７４Ｚとの間に各演出カーテン６０の一端の帯形プレート６２における棒体６１Ｂが配置されている。なお、その帯形プレート６２は、球体ガイド溝７４Ｍに対してスライド不能ではあるが、回転は可能になっている。
【００７７】
また、カーテンレール７０Ｋに向かって左側に配置された演出カーテン６０における帯形プレート６２群のうちカーテンレール７０Ｋの長手方向の中央側に配置された帯形プレート６２Ｌは、上下方向の中心が折れ曲がる形状になっていると共に、駆動スライダ５４Ｌに連結されている。そのために、駆動スライダ５４Ｌには、図１０に示すように、カーテンレール７０Ｋの下方においてそのカーテンレール７０Ｋの幅方向の中央に向かって突出した１対の連結突部５４Ｊ，５４Ｐが備えられている。それら１対の連結突部５４Ｊ，５４Ｐは、駆動スライダ５４Ｌの直動方向に間隔をあけて設けられると共に、上下にずれた配置になっている。そして、１対の連結突部５４Ｊ，５４Ｐの間に、上記した帯形プレート６２Ｌの棒体６１Ｂが配置されて、帯形プレート６２Ｌが駆動スライダ５４Ｌに連結されている。
【００７８】
右側の演出カーテン６０における帯形プレート６２群のうち、カーテンレール７０Ｋの長手方向の中央側に配置された帯形プレート６２Ｒも同様にして、上下方向の中心が折れ曲がる形状になっていると共に、駆動スライダ５４Ｒに連結されている。これにより、各演出カーテン６０，６０は、一端部を固定端としてカーテンレール７０Ｋの長手方向の両端部に固定される一方、他端部を可動端として駆動スライダ５４Ｌ，５４Ｒに固定された構造になっている。また、図４に示すように、両演出カーテン６０，６０は、それらの下端部が表示枠４０における下辺溝部４０Ｖ内に受容された状態になっている。そして、発光基板４７によって、演出カーテン６０，６０に下方から光を照射することが可能になっている。
【００７９】
演出カーテン６０，６０は、モータ５３を駆動源とした駆動スライダ５４Ｌ，５４Ｒの直動により伸縮される。即ち、演出カーテン６０，６０は、カーテンレール７０Ｋにおける可動範囲の全体に亘って１０個ずつ計２０個の帯形プレート６２を分散配置して液晶表示画面３０Ｂを前方から覆う展開状態（図２参照）と、カーテンレール７０Ｋの両端に帯形プレート６２を１０個ずつ纏めて液晶表示画面３０Ｂを視認可能とする折畳状態（図１及び図３参照）とに変更される。
【００８０】
展開状態から折畳状態へ変化するとき及び折畳状態になったときには、帯形プレート６２Ｌ，６２Ｒの中心が移動方向に突出して折れ曲がって演出カーテンの上下方向の中心が絞られる（図１及び図３参照）。展開状態にしたときには、各帯形プレート６２の板厚方向が折畳状態に比べて液晶表示画面３０Ｂの前後方向側を向くように構成されている。そして、表示枠４０の下端に形成された溝が本発明の「カーテン下端部ガイド」に相当し、演出カーテン６０，６０の下端部を受容し、演出カーテン６０，６０が、液晶表示画面３０Ｂの前後方向に動くことを規制する。また、液晶表示画面３０Ｂの下方向から照明することにより、豪華な演出を提供することができるとともに、演出カーテン６０，６０の下部が透明なフィルム形状の支持骨プレート６４と幕部材６５とによって構成されているので、光がフィルムを通過して幕部材６５から漏れ、趣向性に長けた演出を提供することができる。
【００８１】
本実施形態のパチンコ遊技機１０の構成に関する説明は以上である。次に、上記構成からなる本実施形態の作用・効果を説明する。パチンコ遊技機１０は、遊技を実行していない状態では、例えば、演出カーテン６０，６０は液晶表示画面３０Ｂの両側部で演出カーテン６０，６０の上下方向の中心が絞られた折畳状態になっている。これにより、液晶表示画面３０Ｂに表示された待ち受け画像が視認可能になっている。
【００８２】
遊技者が操作ノブ２８を操作して遊技を開始すると、遊技球が遊技領域Ｒ１に打ち込まれる。そして、それら遊技球の一部が始動入賞口１４に入球して液晶表示画面３０Ｂ上の特別図柄３１Ａ，３１Ｂ，３１Ｃが変動し、それらの停止図柄から大当たりが確定すると、例えば、演出カーテン６０，６０の上下方向の中心が絞られた折畳状態から演出カーテン６０，６０が真っ直ぐになった展開状態に移行して、液晶表示画面３０Ｂ全体が演出カーテン６０，６０によって隠される。また、演出カーテン６０が展開状態になったことは、検出基板５５Ａの検出スイッチ５５Ｓ（図１０参照）によって確認することができる。
【００８３】
大入賞口１５が開いた大当たり遊技が開始されると、発光基板４７からの光が演出カーテン６０，６０に照射されて豪華な雰囲気を演出しつつ、演出カーテン６０，６０が左右に分かれるようにして徐々に開かれ、液晶表示画面３０Ｂが横方向の中央から徐々に露出されていく。このとき、液晶表示画面３０Ｂには、例えば、歌謡ステージの中央にお辞儀をした状態の歌手が映され、演出カーテン６０，６０が開かれるにしたがって、その全貌が明らかになっていく。また、演出カーテン６０，６０を開く過程で、駆動スライダ５４Ｌ，５４Ｒに係合されている帯形プレート６２Ｌ，６２Ｒの上下方向の中心が移動方向に突出するように折れ曲がりながら、各帯形プレート６２の板厚方向が液晶表示画面３０Ｂの前後方向を向いた状態から横方向を向いた状態に移行していき各演出カーテン６０における蛇腹の山も変化し、各演出カーテン６０が折り畳まれていく。
【００８４】
ここで、各演出カーテン６０は、各帯形プレート６２から上方に突出した棒体６１Ｂの上端の上端球体部６１Ａを、カーテンレール７０Ｋにおける球体ガイド溝７４Ｍに係合した構造になっているので、スムーズにスライド及び回転し、演出カーテン６０，６０の展開状態と折畳状態との間の変更がスムーズに行われる。また、演出カーテン６０，６０の下端部は、表示枠４０の下辺溝部４０Ｖに受容されているので、カーテンレール７０Ｋから離れた演出カーテン６０，６０の下端部を、安定して展開状態と折畳状態とに変更される。そして、演出カーテン６０，６０が折畳状態になると、そのことが検出基板５５Ｂの検出スイッチ５５Ｓ（図１０参照）によって確認され、例えば、液晶表示画面３０Ｂに映された歌手が顔を上げて歌い始める。これにより、大当たり遊技中に遊技者を楽しませることができる。
【００８５】
大当たり遊技が終了すると、例えば、一度、演出カーテン６０，６０を閉じてから、再び開かれる。そして、液晶表示画面３０Ｂに表示された画面には、歌謡ステージとは異なる画像が映され、通常の遊技状態になる。
【００８６】
このように、本実施形態のパチンコ遊技機１０では、カーテンレール７０Ｋに吊り下げた１対の演出カーテン６０，６０を展開状態と折畳状態とに変更して、液晶表示画面３０Ｂの露出状態を変更することができる。また、演出カーテン６０，６０を展開状態と折畳状態とに変更すると、その演出カーテン６０，６０を構成する帯形プレート６２群がカーテンレール７０Ｋに対してスライドしながら回転して板厚方向の向きを変えると共に、駆動スライダに係合された帯形プレートの上下方向の中心が折れ曲がり、演出カーテン６０，６０全体の形状が変化する。これにより、本実施形態では、一定形状の引き戸形カバーをスライド移動する従来の遊技機と異なり、新鮮な演出にて液晶表示画面３０Ｂの露出状態を変更することができる。しかも、布を使用した幕部材６５を用いることで、演出カーテン６０，６０が、舞台、映画館等の幕のような雰囲気を醸し出し、趣向性に長けた演出を提供することができる。また、演出カーテン６０，６０に下方向から光が照射されることで、豪華な演出を提供することができる。また、帯形プレート６２は、支持骨プレート６４とベースプレート６３とを合体してなるので、例えば、幕部材６５に支持骨プレート６４を収容してから、各支持骨プレート６４を各ベースプレート６３に係合することができ、組み付け性においても優れている。
【００８７】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８８】
（１）帯形プレート６２Ｌ，６２Ｒが、折れ曲がったり真っ直ぐになったりするように、規制部材６６を備えてもよい（図１４参照）。
【００８９】
（２）前記実施形態では、各々１対の幕部材６５，６５及び駆動スライダ５４Ｌ，５４Ｒを左右に配置し、演出カーテン６０，６０が、両端から中心に向かって移動して液晶表示画面３０Ｂを隠蔽する構成にしているが、例えば、演出カーテン６０を一方のみにし、液晶表示画面３０Ｂの半分のみを隠蔽する構成でもよい。また、１枚の幕部材６５が、端から端へ移動して、液晶表示画面３０Ｂの全てを隠蔽する構成にしてもよい。
【００９０】
（３）前記実施形態では、幕部材６５によって帯形プレート６２の大部分が遊技者に露出しない構造になっていたが、例えば、幕部材６５の代わりに、本発明の「プレート連絡部材」としての紐で、各帯形プレート６２における上下方向の中間部を連結した構成にしてもよい。
【符号の説明】
【００９１】
１０    パチンコ遊技機
１１    遊技板
３０    表示装置
３０Ｂ    液晶表示画面
４０    表示枠
５０    カーテンセット
５１Ｌ，５１Ｒ    プーリ
５２    ベルト
５３    モータ
５４Ｌ，５４Ｒ    駆動スライダ
５５Ｓ    検出スイッチ
６０    演出カーテン
６２，６２Ｌ，６２Ｒ    帯形プレート
６３    ベースプレート
６４    支持骨プレート
６５    幕部材（プレート連絡部材）
７０Ｋ    カーテンレール
８０    カーテンユニット
【図１】
2011088006.tif 000003
【図２】
2011088006.tif 000004
【図３】
2011088006.tif 000005
【図４】
2011088006.tif 000006
【図５】
2011088006.tif 000007
【図６】
2011088006.tif 000008
【図７】
2011088006.tif 000009
【図８】
2011088006.tif 000010
【図９】
2011088006.tif 000011
【図１０】
2011088006.tif 000012
【図１１】
2011088006.tif 000013
【図１２】
2011088006.tif 000014
【図１３】
2011088006.tif 000015
【図１４】
2011088006.tif 000016